(57)【要約】【課題】身障者のエレベーターへの乗り降りを円滑に行うとともに、身障者と健常者に効率良くエレベーターを割り当てることが可能なエレベーター制御システムを提供する。【解決手段】乗客が乗場行先呼びを登録する乗場行先呼び登録装置５と、乗場行先呼びを号機に割り当てる群管理制御装置３１と、を備える。乗場行先呼び登録装置５は、乗客種別（健常者／身障者）を判断して管理テーブル１７に記憶する。群管理制御装置３１は、決定された割当号機情報（乗客種別、割当号機等）を記憶する管理テーブル３４と、乗場行先呼び登録装置５からの入力を受けて健常者の乗場行先呼びを割り当てる場合に、管理テーブル３４の情報を用いて身障者の乗場行先呼びが割り当てられていない号機を候補として選定し、選定された号機の中から割り当てる号機を決定する割当号機決定部３３と、を含む。【選択図】図１
2015020820.tif 000002
【特許請求の範囲】
【請求項１】
複数台のエレベーターの号機を一群として管理するエレベーター制御システムであって、
前記エレベーターの乗場に設けられ、乗客が乗場行先呼びを登録するための乗場行先呼び登録装置と、
登録された前記乗場行先呼びを号機に割り当てる群管理制御装置と、を備え、
前記乗場行先呼び登録装置は、
乗場行先呼びを登録する乗客が健常者であるか補助器具利用者であるかの乗客種別を判断する乗客判断部と、
前記乗客判断部によって判断された前記乗客種別を記憶する第１の管理テーブルと、を含み、
前記群管理制御装置は、
前記乗場行先呼び及び前記乗客種別を、割り当てられた号機に対応づけて記憶する第２の管理テーブルと、
前記第１の管理テーブルに記憶されている情報を用いて健常者の乗場行先呼びを号機に割り当てる場合に、前記第２の管理テーブルに記憶されている情報を用いて補助器具利用者の乗場行先呼びが割り当てられていない号機を割り当て候補として選定し、選定された号機の中から割り当てる号機を決定する割当号機決定部と、
を含むエレベーター制御システム。
【請求項２】
前記群管理制御装置は、
撮像装置によって得られた前記エレベーターのかご室内の画像に基づいて、前記かご室内の空きスペースを判断するかご室内空き判断部を含み、
前記割当号機決定部は、
前記第１の記憶テーブルに記憶されている情報に基づいて補助器具利用者によって登録された乗場行先呼びを号機に割り当てる場合に、前記かご室内空き判断部によって判断された空きスペースの中で最も大きな空きスペースを有するかご室の号機を割り当てる請求項１に記載のエレベーター制御システム。
【請求項３】
前記乗場行先呼び登録装置は、割り当てられた号機の情報を報知する報知手段を更に備える請求項１又は２記載のエレベーター制御システム。
【請求項４】
前記割当号機決定部は、号機の割り当てを決定した後次の割り当てを開始するまでに所定の時間制限を設ける制限手段を含み、
前記制限手段は、
補助器具利用者によって登録された乗場行先呼びを号機に割り当てた後の時間制限は、健常者によって登録された乗場行先呼びを号機に割り当てた後の時間制限に比して長く設定する請求項１乃至３の何れか１項に記載のエレベーター制御システム。
【発明の詳細な説明】
【技術分野】
【０００１】
本発明は、エレベーター制御システムに関するものである。
【背景技術】
【０００２】
従来、例えば特許文献１には、各階に設置された操作パネルから行先呼びを登録するエレベーターの群管理制御装置に関する技術（以下、先行技術）が開示されている。この先行技術では、より詳しくは、行先階釦によって登録された各階の行先呼びの情報を認識し、かご室を新規に行先呼びが登録された乗場に応答させたときの乗車スペースを予測し、その予測された乗車スペースに基づいて、スペース的に割り当て可能なかごの候補を判断し、その候補の中で最適なかごを応答させる技術が開示されている。
【０００３】
また、特許文献２には、エレベーターのかごの出入口部に設けられたセンサーにより乗客が車いす利用者であると判断された場合に、戸開時間を延長する等の車椅子専用のオペレーションを行う技術が開示されている。更に、特許文献３には、ベビーカー、買い物カート利用者を車いす利用者に含めることについて開示されている。
【先行技術文献】
【特許文献】
【０００４】
【特許文献１】特開２００９−１２０３４８号公報
【特許文献２】特開２０１０−３０７７６号公報
【特許文献３】特開２００３−２６７６３７号公報
【発明の概要】
【発明が解決しようとする課題】
【０００５】
先行技術では、行先釦や身障者釦を押下した情報からかごの乗車人数を判断し、その乗車人数に当該乗場までの間に乗り降りする乗客の人数を加減算して乗車スペースを予測し、スペース的に割り当て可能なエレベーターを応答させる構成となっている。しかしながら、上記先行技術の構成では、必ずしも身障者にとって好適な制御がなされるとは限らない。このことを図を参照して説明する。図９は、先行技術におけるエレベーターの乗場を上部から見た図である。この図に示すエレベーターは、Ａ号機としてのエレベーター５１とＢ号機としてのエレベーター５２との２つの号機を備えており、この図に示す例では、エレベーター５１はかご室に空きがある状態、エレベーター５２はかご室に空きがない状態となっている。また、各乗場のエレベーター５１，５２には、乗場行先呼び登録装置５３がそれぞれ設けられている。図１０は、先行技術の乗場行先呼び登録装置を示す図である。この図に示すように、乗場行先呼び登録装置５３は、割当号機表示部５４と、任意の行先階を登録するための行先階釦５５と、身障者であることを知らせるための身障者釦５６と、操作に対するアナウンスを行うための案内用スピーカー５７と、を備えている。
【０００６】
このような構成において、先行技術ではかご室の乗車スペースを予測して予測された乗車スペースに基づいて、スペース的に割り当て可能なかごの候補を判断し、その候補の中で最適なかごを応答させることとしている。このため、例えば、身障者釦５６を押下した身障者に対してかご室のスペースに空きがあるエレベーター５１（Ａ号機）が割り当られたとした場合、同じ乗場の健常者による次の割り当てにおいても、かご室のスペースに空きがあるエレベーター５１（Ａ号機）が割り当てられるおそれがある。この場合、状況によっては、後から操作した健常者の方が先に乗車してしまうことでかご室に身障者のためのスペースがなくなることや乗車時に健常者と身障者とが接触することが起きるおそれがあった。
【０００７】
本発明は、上述のような課題を解決するためになされたもので、車椅子等の補助器具を利用している補助器具利用者のエレベーターへの乗り降りを円滑に行うとともに、補助器具利用者と健常者に効率良くエレベーターを割り当てることが可能なエレベーター制御システムを提供することを目的とする。
【課題を解決するための手段】
【０００８】
本発明に係るエレベーター制御システムは、複数台のエレベーターの号機を一群として管理するエレベーター制御システムであって、エレベーターの乗場に設けられ、乗客が乗場行先呼びを登録するための乗場行先呼び登録装置と、登録された乗場行先呼びを号機に割り当てる群管理制御装置と、を備え、乗場行先呼び登録装置は、乗場行先呼びを登録する乗客が健常者であるか補助器具利用者であるかの乗客種別を判断する乗客判断部と、乗客判断部によって判断された乗客種別を記憶する第１の管理テーブルと、を含み、群管理制御装置は、乗場行先呼び及び乗客種別を、割り当てられた号機に対応づけて記憶する第２の管理テーブルと、第１の管理テーブルに記憶されている情報を用いて健常者の乗場行先呼びを号機に割り当てる場合に、第２の管理テーブルに記憶されている情報を用いて補助器具利用者の乗場行先呼びが割り当てられていない号機を割り当て候補として選定し、選定された号機の中から割り当てる号機を決定する割当号機決定部と、を含むものである。
【発明の効果】
【０００９】
本発明によれば、車椅子等の補助器具を利用している補助器具利用者のエレベーターへの乗り降りを円滑に行うとともに、補助器具利用者と健常者に効率良くエレベーターを割り当てることが可能なエレベーター制御システムを提供することが可能となる。
【図面の簡単な説明】
【００１０】
【図１】本発明の実施の形態１に係るエレベーター制御システムの構成を示す図である。
【図２】乗場を上部から見た図である。
【図３】乗場行先呼び登録装置の概略図である。
【図４】乗場行先呼び登録装置の管理テーブルの概略図を示している。
【図５】群管理制御装置の管理テーブルの概略図を示している。
【図６】実施の形態１に係るエレベーター制御システムが乗客にエレベーターを割り当てるルーチンを示すフローチャートである。
【図７】実施の形態１に係る連続検出処理のルーチンを示すフローチャートである。
【図８】乗場を上部から見た図である。
【図９】先行技術におけるエレベーターの乗場を上部から見た図である。
【図１０】先行技術の乗場行先呼び登録装置を示す図である。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
図１は、本発明の実施の形態１に係るエレベーター制御システムの構成を示す図である。本エレベーター制御システムは、ビル等に設置された複数台のエレベーターを一群として管理する。図１では、本エレベーター制御システムが２台のエレベーター（Ａ号機及びＢ号機）を一群として管理する場合を一例として示している。
【００１３】
この図に示すように、本発明の実施の形態１に係るエレベーター制御システムは、エレベーター１（Ａ号機）と、エレベーター２（Ｂ号機）と、複数台のエレベーターを群管理する群管理制御装置３１と、各階の乗場に設置された乗場行先呼び登録装置５と、を備えている。エレベーター１は、制御部１１と、かご１３と、表示報知部１８と、を備えている。また、エレベーター２は、制御部２１と、かご２３と、表示報知部２８と、を備えている。
【００１４】
図２は、乗場を上部から見た図である。また、図３は、乗場行先呼び登録装置５の概略図である。これらの図に示すように、乗場行先呼び登録装置５は、乗場に設けられた通行ゲート３に配置されている。乗場行先呼び登録装置５は、センサー４と、割当号機表示部１２と、乗場前検出部１４と、報知部１５と、乗客判断部１６と、管理テーブル１７と、を備えている。センサー４は、通行ゲート３において乗客の種別を判断するためのセンサーである。乗場前検出部１４はセンサー４の検知信号を用いて乗客が健常者であるか車いす、ショッピングカート及びベビーカー等の補助器具を利用している者（以下、これらをまとめて「身障者」と称する）であるかを判断する。乗客判断部１６は、乗場前検出部１４において検出された乗客情報（健常者／身障者）を通行ゲート３の通過時間を対応付けた上で管理テーブル１７に記憶する。図４は、乗場行先呼び登録装置５の管理テーブル１７の概略図を示している。また、割当号機表示部１２は、通行ゲート３にて乗場行先呼びを登録した乗客に対して決定された割当号機を表示する。さらに、報知部１５は通行ゲート３にて音声によるガイダンスを行うためのスピーカーである。
【００１５】
群管理制御装置３１は、かご室内空き判断部３２と、割当号機決定部３３と、管理テーブル３４と、表示報知部３５と、を備えている。かご室内空き判断部３２は、各エレベーター１，２のかご１３，２３内に設けられた監視カメラの情報を受けて、各かご１３，２３内の空き状況を判断する。また、割当号機決定部３３は、かご室内空き判断部３２から入力される各かご１３，２３内の空き状況、及び乗客判断部から入力される乗客情報に基づいて、割当号機を決定する。管理テーブル３４は、割当号機決定部３３において決定された情報（健常者／身障者、割当号機、行先階等）を記憶する。図５は、群管理制御装置３１の管理テーブル３４の概略図を示している。さらに、表示報知部３５は、割当号機の表示情報を乗場行先呼び登録装置５の割当号機表示部１２及び各かご１２，２３内に設けられた表示報知部１８，２８へ送信する。
【００１６】
次に、本発明の実施の形態に係るエレベーター制御システムの動作について説明する。本発明の実施の形態に係るエレベーター制御システムは、健常者の行先呼びの登録を受けてエレベーターの号機を割り当てる場合に、障害者の行先呼びが割り当てられていないエレベーターを候補として選定し、選定された候補の中から最適なエレベーターを割り当てる。より具体的には、乗場行先呼び登録装置５の乗場前検出部１４は、センサー４を用いて通行ゲート３にて行先呼びを登録する乗客の種別を検出する。そして、群管理制御装置３１の割当号機決定部３３は、乗客が健常者である情報が乗客判断部１６から入力されると、管理テーブル３４に記憶されている現在割り当てられている行先呼び登録の情報に基づいて、身障者の行先呼びが割り当てられていないエレベーターの号機を候補として選定する。そして、他の運転効率判断の条件やかご室内空き判断部３２から入力される各かご１３，２３内の空き状況を比較して、最適なエレベーターを割り当てる。一方、乗客が身障者である情報が乗客判断部１６から入力されると、群管理制御装置３１の割当号機決定部３３は、かご室内空き判断部３２から入力される情報から各かご１２，２３の空きスペースを比較し、空きスペースの大きいエレベーターを割り当てる。乗場行先呼び登録装置５の割当号機表示部１２は、決定された割り当て号機情報を表示することで乗客への報知を行う。なお、乗客への報知は、報知部１５が音声による報知を行う構成でもよい。
【００１７】
このように、本実施の形態のエレベーター制御システムによれば、身障者が割り当てられたエレベーターに後から健常者が割り当てられることがないので、両方の利用者にとって乗り降りをストレスなく行うことが可能となる。また、本実施の形態のエレベーター制御システムによれば、身障者に予め決められたエレベーターを割り当てるのではなく、その時の状況によって割り当てるエレベーターを決めることとしているため、身障者、健常者の双方にとって利用しやすいシステムとすることができる。さらに、本実施の形態のエレベーター制御システムによれば、乗客が身障者であることを通行ゲート３にて自動で検出することができるので、身障者に識別用のＩＣタグを保持させることや特別な操作をさせる必要がない。これにより、身障者は割り当てられたエレベーターの乗場付近までスムーズに移動することが可能となる。また、決定された割当号機情報は、割当号機表示部１２又は報知部１５によって乗客に報知されるので、乗客は報知された情報を頼りに割り当てられたエレベーターの乗場付近までスムーズに移動することが可能となる。
【００１８】
また、本発明の実施の形態に係るエレベーター制御システムは、乗客の行先呼びの割り当てを連続して行う場合に、前の乗客の割り当てが決定してから次の乗客の割り当てが決定するまでに所定の時間制限を設けることとしている。これは、連続する乗客の移動に時間差を設けて混乱を避けることを目的とするものである。この際、本エレベーター制御システムでは、身障者と健常者とでこの時間制限の時間に差異をつける制御が行われる。具体的には、本エレベーター制御システムでは、身障者による行先呼びの割り当てが決定した後の制限時間が、健常者による行先呼びの割り当てが決定した後の制限時間（標準時間）よりも長い時間（例えば標準時間＋α）とされる。これにより、身障者の移動時間を確保することができるので、後から来た健常者に追い越されることや接触されることを回避可能なシステムとすることができる。
【００１９】
次に、本発明の実施の形態１に係るエレベーター制御システムの動作の具体的処理についてフローチャートに沿って説明する。図６は、実施の形態１に係るエレベーター制御システムが乗客にエレベーターを割り当てるルーチンを示すフローチャートである。この図に示すルーチンでは、先ず、乗場前検出部１４が乗客を検出したか否かが判定される（ステップＳ１）。その結果、乗場前検出部１４が乗客を検出していない場合には本ステップの処理が再度実行される。一方、ステップＳ１において乗場前検出部１４が乗客を検出したと判断された場合には、次のステップに移行し、乗客を連続して検出したか否かが判定される（ステップＳ２）。ここでは、具体的には、乗場にどのエレベーターも到着していない状態で初めて乗客を検出したか否かが判定される。その結果、乗客を連続して検出したと判定された場合には、後述する連続検出処理のルーチンが実行される（ステップＳ２０）。そしてステップＳ２０の処理の後はステップＳ８に移行する。一方、乗客を連続して検出していないと判定された場合には、乗場にどのエレベーターも到着していない状態で初めて乗客を検出したと判断されて、次のステップに移行し、乗場前検出部１４によって乗客の種別（健常者／身障者）及び通行ゲート３の通過時間等の検出情報が管理テーブル１７に記憶される（ステップＳ３）。
【００２０】
次に、管理テーブル１７に記憶された情報に基づいて、乗客が身障者であるか否かが判定される。その結果、乗客が身障者であると判定された場合には、身障者の動線を確保すべく、所定時間（標準＋α）の間次の検出に対するエレベーターの割り当てが制限される（ステップＳ５）。一方、乗客が健常者であると判定された場合には、所定時間（標準）の間次の検出に対するエレベーターの割り当てが制限される（ステップＳ６）。
【００２１】
上記ステップＳ５又はＳ６の処理が行われると、次に割り当てるエレベーターの号機が決定される（ステップＳ７）。ここでは、かご室内空き判断部３２の情報、乗場行先呼び登録装置５における乗客判断部１６の情報、及び管理テーブル３４の情報が割当号機決定部３３へ入力される。割当号機決定部３３は、入力された情報に基づいてエレベーターの割当号機を決定する。具体的には、割当号機決定部３３は、乗客が身障者である情報が乗客判断部１６から入力された場合、かご室内空き判断部３２から入力される情報から各かご１２，２３の空きスペースを比較し、空きスペースの大きいエレベーターを割り当てる。一方、乗客が身障者である情報が乗客判断部１６から入力された場合、割当号機決定部３３は、管理テーブル３４に記憶されている現在割り当てられている行先呼び登録の情報に基づいて、身障者を割り当てていないエレベーターの号機を候補として選定する。そして、他の運転効率判断の条件やかご室内空き判断部３２の情報と比較して、最適なエレベーターを割り当てる。
【００２２】
次に、割当号機決定部３３によって決定された割当号機情報が管理テーブル３４へ記憶される（ステップＳ８）。次に、割当号機情報が割当号機決定部３３から各エレベーター１，２の制御部１１，２１へ送信される（ステップＳ９）。次に、割り当てられた号機を示す割当号機表示情報が、群管理制御装置３１の表示報知部３５から各エレベーター１，２の表示報知部１８，２８及び乗場行先呼び登録装置５の割当号機表示部１２へ送信される（ステップＳ１０）。次に、制御部１１，２１に送信された割当号機情報に従い、かご１３，２３が所定の乗場まで運行制御される（ステップＳ１１）。また、次のステップでは、割り当てられた号機を示す割当号機表示情報が割当号機表示部１２に表示される（ステップＳ１２）。また、次のステップでは、割当号機表示情報が表示報知部１８，２８に必要に応じて表示される（ステップＳ１３）。
【００２３】
図６に示すルーチンでは、次に、エレベーターが行先階に到着したか否かが判定される（ステップＳ１４）。その結果、エレベーターが行先階に到着していないと判定された場合には、本ステップの処理が繰り返し実行される。一方、本ステップにおいてエレベーターが行先階に到着したと判定された場合には、かご室内の空き状況に関する情報として、かご１３,２３内に配置された監視カメラによって得られた情報がかご室内空き判断部３２へ送信される（ステップＳ１５）。次に、かご室内の乗車（降車）情報がかご室内空き判断部３２から割当号機決定部３３へ送信され、管理テーブル３４の情報が更新される（ステップＳ１６）。
【００２４】
次に、上記ステップＳ２０において実行される連続検出処理についてフローチャートに沿って説明する。図７は、実施の形態１に係る連続検出処理のルーチンを示すフローチャートである。この図に示すルーチンでは、先ず前回検出された乗客が身障者か否かが判定される（ステップＳ２１）。その結果、前回検出された乗客が身障者であると判定された場合には、必要に応じて「しばらくお待ちください」などのメッセージを割当号機表示部１２に表示するとともに、同メッセージを報知部１５から流す処理が行われる（ステップＳ２２）。次に、乗場前検出部１４が乗客を検出してから所定時間（標準＋α時間）が経過したか否かが判定される（ステップＳ２３）。その結果、未だ所定時間が経過していないと判定された場合には上記ステップＳ２２の処理に戻る。一方、所定時間が経過していないと判定された場合には次のステップＳ２６へ移行する。
【００２５】
一方、上記ステップＳ２１において、前回検出された乗客が健常者であると判定された場合には、必要に応じて「しばらくお待ちください」などのメッセージを割当号機表示部１２に表示するとともに、同メッセージを報知部１５から流す処理が行われる（ステップＳ２４）。次に、乗場前検出部１４が乗客を検出してから所定時間（標準時間）が経過したか否かが判定される（ステップＳ２５）。その結果、未だ所定時間が経過していないと判定された場合には上記ステップＳ２４の処理に戻る。一方、所定時間が経過していないと判定された場合には次のステップＳ２６へ移行する。
【００２６】
次のステップＳ２６では、乗場前検出部１４によって乗客の種別（健常者／身障者）及び通行ゲート３の通過時間等の検出情報が管理テーブル１７に記憶される。次に、管理テーブル１７が参照されて、前回の乗客と今回の乗客とが異なる種別の乗客であるか否かが判定される（ステップＳ２７）。その結果、前回の乗客が健常者であり今回の乗客が身障者である、又は前回の乗客が身障者であり今回の乗客が健常者であると判定された場合には、次のステップに移行し、割当号機決定部３３は前回の乗客と異なる号機を割り当てる（ステップＳ２８）。一方、上記ステップＳ２７において前回の乗客と今回の乗客とが同一の種別の乗客であると判定された場合には、次のステップに移行し、前回と今回の乗客が身障者であるか否かが判定される（ステップＳ２９）。その結果、前回と今回の乗客が身障者であると判定された場合には、割当号機決定部３３はかご室内空き判断部３２の情報から割り当てる号機を決定する（ステップＳ３０）。一方、上記ステップＳ２９において前回と今回の乗客が健常者であると判定された場合には、割当号機決定部３３は前回の乗客に割り当てた号機を今回の乗客に割り当てる。上記ステップＳ２８、Ｓ３０またはＳ３１の処理によって割り当てる号機が決定されると、本ルーチンは終了されて、図６に示すルーチンのステップＳ８の処理に移行される。
【００２７】
上記ルーチンによってエレベーター制御システムが乗客にエレベーターを割り当てる動作の具体例を説明する。以下の具体例では、２階から乗車し８階を行先とした健常者（以下、「健常者１」と称する）と３階から乗車し７階を行先とした健常者（以下、「健常者２」と称する）とが、エレベーター２（Ｂ号機）に割り当てられているものとする。この場合、乗場行先呼び登録装置５の管理テーブル１７には、＜健常者情報＞健常者１  07：50：20／健常者２  07：50：35／・・・と記憶され、群管理制御装置３１の管理テーブル３４には、＜健常者情報＞健常者１  乗場  ２階，行先  ８階，Ｂ号機／健常者２  乗場  ３階，行先  ７階，Ｂ号機／・・・と記憶される。
【００２８】
なお、Ｂ号機は健常者１と健常者２の乗車によりかご室に空きがない状態になっているとする。この状態において、例えば、行先を１０階とする身障者（以下、「身障者１」と称する）を４階で検出した場合、Ｂ号機には健常者が乗車しており、またかご室に空きがないことから、身障者１はＡ号機に割り当てられる。この場合、乗場行先呼び登録装置５の管理テーブル１７には、＜健常者情報＞健常者１  07:50:20／健常者２  07:50:35／・・・、＜身障者情報＞身障者１  07:51:01／・・・と記憶され、群管理制御装置３１の管理テーブル３４には、＜健常者情報＞健常者１：乗場  ２階、行き先  ８階、Ｂ号機／健常者２：乗場  ３階、行き先  ７階、Ｂ号機／・・・、＜身障者情報＞身障者１：乗場  ４階、行き先  １０階、Ａ号機／・・・と記憶される。
【００２９】
身障者１が４階で通行ゲート３を通過した場合、４階の乗場行先呼び登録装置５の割当号機表示部１２には、割り当てた号機の情報が表示される。これにより、Ｂ号機に健常者１、健常者２、Ａ号機に身障者１が割り当てられた状態となる。
【００３０】
Ｂ号機が７階に到着して健常者２が降車すると、群管理制御装置３１の割当号機決定部３３は管理テーブル３４に記憶されている健常者２の情報を削除する。これにより、管理テーブル３４には、＜健常者情報＞健常者１：乗場  ２階、行き先  ８階、Ｂ号機／・・・、＜身障者情報＞身障者１：乗場  ４階、行き先  １０階、Ａ号機／・・・と記憶される。
【００３１】
ところで、上述した実施の形態１に係るエレベーター制御システムでは、乗場前検出部１４が通行ゲート３に配置されたセンサー４の検出信号を用いて乗客の種別を判断することとしているが、乗客の種別を自動で検出するための構成はこれに限られない。図８は、乗場を上部から見た図である。この図に示すように、センサー４に替えて天井などの上部に設置された赤外線カメラ９の検出状況から乗客の種別を判断する構成としてもよい。
【００３２】
また、上述した実施の形態１に係るエレベーター制御システムでは、かご室内空き判断部３２が各エレベーター１，２のかご１３，２３内に設けられた監視カメラの情報を受けて、各かご１３，２３内の空き状況を判断することとしているが、空き状況を判断するための構成はこれに限られない。すなわち、かご１３，２３内の乗客を検出するセンサー等を各かご１３，２３内に設けることにより空き状況を判断することとしてもよい。
【符号の説明】
【００３３】
１  エレベーター、２  エレベーター、３  通行ゲート、４  センサー、５  行先呼び登録装置、９  赤外線カメラ、１１  制御部、１２  割当号機表示部（報知手段）、１４  乗場前検出部、１５  報知部（報知手段）、１６  乗客判断部、１７  管理テーブル、１８  表示報知部、２１  制御部、２８  表示報知部、３１  群管理制御装置、３２  かご室内空き判断部、３３  割当号機決定部、３４  管理テーブル、３５  表示報知部
【図１】
2015020820.tif 000003
【図２】
2015020820.tif 000004
【図３】
2015020820.tif 000005
【図４】
2015020820.tif 000006
【図５】
2015020820.tif 000007
【図６】
2015020820.tif 000008
【図７】
2015020820.tif 000009
【図８】
2015020820.tif 000010
【図９】
2015020820.tif 000011
【図１０】
2015020820.tif 000012